(57)【要約】【課題】製造するのに複雑でなく安価である、タブレットをカプセル内に分配するための供給アセンブリを提供すること。【解決手段】タブレット（２）をカプセル（３）内に分配するための供給アセンブリにおいて、各カプセル（３）が、供給チャネル（４０）の出口に配置され、供給チャネル（４０）が、入口において、分配孔（１３）の少なくとも１つのグループ（１２）が設けられた回転する分配プラテン（８）によって運ばれた所定量のタブレットを受容し、分配孔（１３）が、通常時には閉塞板（２４）によって閉じられ、閉塞板（２４）が、回転方向において分配プラテン（８）と一体であり、分配孔（１３）の閉位置と開位置との間で移動可能である。【選択図】図１
2017038920.tif 000002
【特許請求の範囲】
【請求項１】
カプセル（３）内にタブレット（２）を分配するための供給アセンブリであって、
各カプセル（３）は、各々の底部（４）と、前記底部（４）を閉じるための蓋（５）と、を備え、
当該供給アセンブリは、
所定量のタブレット（２）を各底部（４）内に分配するための分配ステーション（１８）と、
回転軸（９）周りで回転するように取り付けられ、複数の分配孔（１３）の少なくとも１つのグループ（１２）が設けられた、分配プラテン（８）と、
を備え、
前記分配孔（１３）のそれぞれは、少なくとも１つの各々のタブレット（２）を収容するように構成されており、前記分配プラテン（８）により前記分配ステーション（１８）を通過するように送り運動が与えられ、
当該供給アセンブリは更に、
前記分配孔（１３）を閉じるように前記分配プラテン（８）の下方に取り付けられた、閉鎖手段（２２）と、
前記回転軸（９）周りに回転するように取り付けられ、分配孔（１３）の各グループ（１２）に対して各々の底部（４）内に関連するタブレット（２）を移送するための関連する供給チャネル（４０）を有する、供給ドラム（３９）と、
を備え、
前記閉鎖手段（２２）が、分配孔（１３）の各グループ（１２）に対して、各々の閉塞板（２４）を有しており、
前記閉塞板（２４）が、前記回転軸（９）周りに回転するように前記分配プラテン（８）と角度方向において一体であり、関連する分配孔（１３）の閉位置及び開位置の間で移動可能であることを特徴とする、供給アセンブリ。
【請求項２】
各閉塞板（２４）が、複数の移送孔（２５）を含み、
前記複数の移送孔（２５）が、関連する分配孔（１３）のグループ（１２）に含まれる分配孔（１３）と同数存在し、前記閉塞板（２４）により、各移送孔（２５）が関連する分配孔（１３）と整列されない閉位置と、各移送孔（２５）が関連する分配孔（１３）と整列される開位置と、の間を移動させられる、請求項１に記載の供給アセンブリ。
【請求項３】
各閉塞板（２４）が、前記開位置と前記閉位置との間で半径方向において移動すべく、スライドするように前記分配プラテン（８）に連結されている、請求項１又は２に記載の供給アセンブリ。
【請求項４】
各閉塞板（２４）に対して、前記閉塞板（２４）を閉位置に移動させ通常時に閉位置に保持する、各々の弾性押し装置（２６）を更に備える、請求項１〜３のいずれか一項に記載の供給アセンブリ。
【請求項５】
前記弾性押し装置（２６）の動作に対抗して、前記閉塞板（２４）を閉位置から開位置に移動させる、カム作動装置（２７，２８）を更に備える、請求項４に記載の供給アセンブリ。
【請求項６】
前記カム作動装置（２７，２８）が、前記分配ステーション（１８）の領域内に取り付けられたカム（２７）と、前記カム（２７）と係合するのに適している、各閉塞板（２４）に対する各々のカム従動部（２８）と、を有する、請求項５に記載の供給アセンブリ。
【請求項７】
各カム従動部（２８）が、関連する閉塞板（２４）を開位置に移動させるために、前記カム従動部（１８）が前記カム（２７）を捕える作動位置と、関連する閉塞板（２４）を閉位置に保持するために、前記カム従動部（２８）が前記カム（２７）を避ける休止位置と、の間で移動するように、関連する閉塞板（２４）に連結される、請求項６に記載の供給アセンブリ。
【請求項８】
前記カム従動部（２８）を作動位置から休止位置へと選択的に移動させるように、前記回転軸（９）周りの前記分配プラテン（８）の移動方向（１７）において前記カム（２７）の上流側で前記分配ステーション（１８）に取り付けられている、駆動手段（３８）を更に備える、請求項７に記載の供給アセンブリ。
【請求項９】
トリミングディスク（１４）を更に備え、
前記トリミングディスク（１４）が、前記分配プラテン（８）の上方に固定されており、環状の形状を有しており、及び、前記回転軸（９）周りの前記分配プラテン（８）の移動方向（１７）に沿って増大する前記回転軸（９）からの距離を有する内壁（１６）により半径方向において画定されている、請求項１〜８のいずれか一項に記載の供給アセンブリ。
【請求項１０】
前記距離が、前記トリミングディスク（１４）により前記分配孔（１３）が閉じられるときの値と一致する最小値から、前記トリミングディスク（１４）に対して前記分配孔（１３）が半径方向においてずらされているときの値と一致する最大値の範囲内にある、請求項９に記載の供給アセンブリ。
【請求項１１】
各供給チャネル（４０）の少なくとも一部に振動動作を与えるための振動装置（４８）を更に備える、請求項１〜１０のいずれか一項に記載の供給アセンブリ。
【請求項１２】
各供給チャネル（４０）が、関連する分配孔（１３）のグループ（１２）から始まって関連する底部に向かって収束する入口部分（４１）を含む、請求項１〜１１のいずれか一項に記載の供給アセンブリ。
【請求項１３】
前記分配ステーション（１８）の外側において前記閉塞板（２４）を閉じるように、及び、前記タブレット（２）を前記分配孔（１３）内に吸引するための各々の吸引チャンバ（３５）を画定するように、前記閉塞板（２４）の下方に取り付けられた環状のディスク（３３）を更に備え、
前記環状のディスク（３３）が、前記分配ステーション（１８）の上流側及び下流側において前記吸引チャンバ（３５）に接続された吸引マニホールド（３７）を有する、請求項１〜１２のいずれか一項に記載の供給アセンブリ。
【請求項１４】
前記環状のディスク（３３）が、前記分配ステーション（１８）の領域内において、前記タブレット（２）が前記供給チャネル（４０）に沿って落下することを可能にする開口（３４）を有する、請求項１３に記載の供給アセンブリ。
【請求項１５】
各分配孔（１３）内のタブレット（２）の存在を確認するように、前記回転軸（９）周りの前記分配プラテン（８）の移動方向（１７）において、前記分配ステーション（１８）の上流側に配置された第１の制御装置（２０）を更に備える、請求項１〜１４のいずれか一項に記載の供給アセンブリ。
【請求項１６】
各分配孔（１３）内のタブレット（２）の不存在を確認するように、前記回転軸（９）周りの前記分配プラテン（８）の移動方向（１７）において、前記分配ステーション（１８）の下流側に配置された第２の制御装置（２１）を更に備える、請求項１〜１５のいずれか一項に記載の供給アセンブリ。
【請求項１７】
各供給チャネル（４０）に、前記底部（４）の重量、又は、前記底部（４）の重量と前記底部（４）に含まれる前記タブレット（２）の重量との合計を測定する測定装置（５２）が設けられている、請求項１〜１６のいずれか一項に記載の供給アセンブリ。
【発明の詳細な説明】
【技術分野】
【０００１】
本発明は、タブレットをカプセル内に分配するための供給アセンブリに関する。
【０００２】
本明細書では、用語タブレットは、それらの大きさにかかわらず、任意の種類のタブレットを意味し、したがって、いわゆるマイクロタブレットも意味する。
【背景技術】
【０００３】
製薬産業においては、分配ステーションと、所定量のタブレットを各カプセルの底部シェル内に運ぶために分配ステーションに取り付けられた分配ホイールと、分配ステーションを通して連続して底部シェルを移送するためのコンベア装置と、を備えるタイプの供給アセンブリを提供することが知られている。
【０００４】
分配ホイールは、回転する分配プラテンを有し、分配プラテンには、分配プラテンの回転軸周りに均等に分布された、分配孔の複数のグループが設けられている。
【０００５】
分配孔の各グループは、タブレットを各々の分配孔から各々のカプセルの底部シェル内に移送するために、分配ホイールを貫通する各々の供給チャネルと関連付けられる。
【０００６】
分配プラテンは、環状の閉塞板と協働し、閉塞板は、通常時は分配孔を閉じるために分配プラテンの下方に取り付けられており、及び、閉塞板は、分配ステーションの領域内において、分配孔内に含まれているタブレットが先ず第１に各々の供給チャネル内に、したがって各々の底部シェル内に落下することを可能にするように、開口形状を有している。
【０００７】
上記のタイプの先行技術の供給アセンブリは、分配プラテンの回転の際に、タブレットが閉塞板上を滑り、傷つけられるかもしれないという事実に主に関連付けられる、多数の欠点を有している。
【発明の概要】
【発明が解決しようとする課題】
【０００８】
本発明の目的は、上記の欠点を克服でき、製造するのに複雑でなく安価である、タブレットをカプセル内に分配するための供給アセンブリを提供することである。
【課題を解決するための手段】
【０００９】
本発明によれば、添付の特許請求の範囲に開示されている、タブレットをカプセル内に分配するための供給アセンブリが提供される。
【図面の簡単な説明】
【００１０】
ここで、本発明が、非限定的な実施形態を示す添付の図面を参照して説明される。
【図１】本発明に係る供給アセンブリの好適な実施形態の概略斜視図であり、明確さを目的として一部が取り除かれている。
【図２】図１の供給アセンブリの第１の詳細の概略斜視図であり、明確さを目的として一部が取り除かれている。
【図３】図１の供給アセンブリの第２の詳細の概略斜視図であり、明確さを目的として一部が取り除かれている。
【図４】図１の供給アセンブリの第３の詳細の概略斜視図であり、明確さを目的として一部が取り除かれている。
【図５】図３の詳細の概略斜視図である。
【図６】図１の供給アセンブリの概略側面図であり、一部が断面図で示されており、明確さを目的として一部が取り除かれている。
【図７】図１の供給アセンブリの概略側面図であり、一部が断面図で示されており、明確さを目的として一部が取り除かれている。
【図８】図１の供給アセンブリの概略側面図であり、一部が断面図で示されており、明確さを目的として一部が取り除かれている。  図６，図７及び図８は、３つの異なる作動位置で示されている。
【発明を実施するための形態】
【００１１】
図１及び図２を参照して、参照数字１により全体として示されているのは、カプセル３内にタブレット２、特に製薬製品のマイクロタブレットを分配するための供給アセンブリであり、各カプセル３は、概ねカップ形状の底部４と、底部４を閉じるための蓋５と、を備えている。
【００１２】
供給アセンブリ１は、カプセル３を充填するための機械６の一部を規定しており、分配プラテン８が設けられた分配ホイール７を備え、分配プラテン８は、鉛直方向１０に概ね平行な回転軸９周りに連続的に回転するように取り付けられており、軸９に概ね垂直な平らな内側底壁１１により画定されている。
【００１３】
プラテン８には、複数の分配孔１３のグループ１２が複数設けられており、分配孔１３は、方向１０に平行に壁１１を貫通している。複数のグループ１２は、プラテン８の周縁に沿って得られ、軸９周りに均等に分布されている。
【００１４】
ホイール７は更に、上側トリミングディスク１４を備えており、上側トリミングディスク１４は、機械６のフレーム１５に固定されており、プラテン８の上方で延びており、環状の形状を有しており、及び、内壁１６により半径方向において画定されており、軸９から内壁１６までの距離は、軸９周りのプラテン８の移動方向１７に沿って増大している。
【００１５】
具体的には、軸９から内壁１６までの距離は、ディスク１４により分配孔１３が閉じられるときの値と一致する最小値から、ディスク１４がプラテン８の外側において延びており孔１３のグループ１２に対して半径方向においてずらされているときの値と一致する最大値の範囲内にある。
【００１６】
孔１３のグループ１２は、プラテン８により、軸９周りに分配ステーション１８を通るように移動させられ、分配ステーション１８の領域内では、ディスク１４に、方向１７においてステーション１８の上流側に取り付けられた第１の制御装置２０が各孔１３内のタブレット２の存在を確認することを可能にし、方向１７においてステーション１８の下流側に取り付けられた第２の制御装置２１が孔１３内のタブレット２の不存在を確認することを可能にするのに適した、スロット１９が設けられている。
【００１７】
図３，図５及び図６に示されるように、ホイール７は更に、下側閉塞ディスク２２を備えており、下側閉塞ディスク２２は、軸９と同軸にプラテン８の下方に取り付けられており、角度方向において固定される形式でプラテン８に連結されており、及び、孔１３の各グループ１２と一致するように、方向１０に沿ってディスク２２を貫通して得られた開口２３を有する。
【００１８】
ディスク２２は、複数の閉塞板２４を支持しており、複数の閉塞板２４は、軸９周りに均等に分布されており、グループ１２の数と同数であり、各閉塞板２４は、孔１３の１つのグループ１２内にある孔１３の数と同数の、各々の複数の移送孔２５を有している。
【００１９】
板２４は、タブレット２が孔１３から解放されるのを防止するために方向１０において各々の孔１３及び２５が互いに整列されていない閉位置（図６）と、タブレット２が孔１３を抜け落ちることを可能にするために方向１０において各々の孔１３及び２５が互いに整列されている開位置（不図示）と、の間で半径方向に移動すべく、摺動するようにディスク２２に連結されている。
【００２０】
各板２４は、ばね２６によって閉位置に移動させられて通常時にはその位置に保持されており、ばね２６は、プラテン８と板２４との間に挿入され、板２４を開位置と閉位置との間で移動させるように構成された作動装置２６ａの一部を規定している。
【００２１】
装置２６ａは更に、ステーション１８の領域内に取り付けられたカム２７と、各板２４に対する各々のカム従動部２８と、を備えている。
【００２２】
カム従動部２８は、方向１０と交差する支点軸３０周りに板２４に対して回転すべく、回転するように板２４に連結された支持ブラケット２９と、方向１０に平行な回転軸３２周りにブラケット２９に対して回転すべく、回転するようにブラケット２９に連結されたカム従動ローラー軸受３１と、を備える。
【００２３】
カム従動部２８は、ローラー軸受３１が各々の板２４をその開位置に移動させるためにカム２７を捕える、下げられた作動位置（図６及び図７）と、ローラー軸受３１が各々の板２４をその閉位置に保持し、したがってタブレット２が各々の底部４内に供給されることを防止するためにカム２７を避ける、上げられた休止位置（図８）と、の間で、軸３０周りに可動である。
【００２４】
図４を参照して、分配ステーション１８の外側では、開口２３が、環状のディスク３３によって閉じられており、環状のディスク３３は、ディスク２２の下方においてフレーム１５に固定されており、軸９周りに延びており、及び、タブレット２の通過を許容するために、分配ステーション１８の領域内において方向１０に沿ってディスク３３を貫通する開口３４を有している。
【００２５】
ディスク３３は、各開口２３を閉じて各々の吸引チャンバ３５を画定しており、吸引チャンバ３５は、ホイール７によって軸９周りに移動させられ、ディスク２２を貫通する少なくとも１つの吸引チャネル３６によって、ディスク３３に設けられた空気マニホールド３７に接続されるのに適している。
【００２６】
マニホールド３７は、３６０度未満の角度で軸９周りに延びており、方向１７においてステーション１８の上流側及び下流側にある不図示の既知のタイプの空気式吸引装置にチャンバ３５を接続するように形作られている。
【００２７】
上記の説明に関連して、方向１７においてステーション１８の上流側でディスク３３に得られた出口孔３８を通してカム従動部２８に向かって噴出された圧縮空気の噴射によって、カム従動部２８が、その下げられた作動位置から上げられた休止位置に移動させられることに留意することは、重要である。
【００２８】
カム従動部２８は、軸９周りのカム従動部２８の移動経路に沿って取り付けられたコンタクトローラー（不図示）によって、その上げられた休止位置から下げられた作動位置に移動させられる。
【００２９】
図６から図８に示されるように、ホイールは更に、供給ドラム３９を備え、供給ドラム３９は、角度方向において固定されるようにプラテン８に連結されており、孔１３の各グループ１２に対して同様に各々の供給チャネル４０を備えており、供給チャネル４０は、タブレット２を孔１３から各々の底部４内に移送するために、ディスク３３の下方に延びている。
【００３０】
各チャネル４０は、各々の開口２３から始まって連続して、漏斗形状で下向きに収束し、プラテン８と角度方向において一体である上側ディスク４２に得られた入口部分４１と、複数の柔軟な引掛け舌状部４５によりディスク４２に引掛けられた中間ディスク４４に得られた振動中間部分４３と、各々の底部４と対面し、ディスク４２と角度方向において一体である下側ディスク４７に得られた出口部分４６と、を備えている。
【００３１】
タブレット２が部分４３を塞ぐことを防止するために、ディスク４４は、振動装置４８によって振動するようにされており、振動装置４８は、減衰装置４９を間に置くことによりフレーム１５に取り付けられており、支持ブラケット５０に振動動作を与え、支持ブラケット５０には、ローラー５１が、回転するように取り付けられ、ディスク４４と接触するように配置されている。
【００３２】
各部分４６には、（その内容が本特許出願に完全に組み込まれる、本出願と同じ出願人により提出された国際公開第２００６／０３５２８５号に説明され示されている）容量性変換器５２が設けられており、容量性変換器５２は、容量性変換器５２に接続された処理ユニット５４を更に備える重量測定システム５３の一部を、他の部分４６の容量性変換器５２と共に規定する。
【００３３】
複数の底部４は、機械６の全域にわたって延びるポケットコンベア５５によって、各々の供給チャネル４０とそれぞれ同期して、ステーション１８を通るように連続して移動させられる。
【００３４】
コンベア５５は、複数のスプール（図６にホイール７のスプール５６のみが示されている）を取り巻いて輪の形に巻かれており、複数のポケット５７が設けられており、複数のポケット５７は、上向きのくぼみを有する概ねカップ形状であり、コンベア５５に沿って均等に分布されており、複数のポケット５７の各々は、その上向きのくぼみを有する各々のポケット５７内に配置される各々の底部４を受容するように、設計されている。
【００３５】
使用においては、ホイール７が軸９周りに回転するときに、プラテン８に含まれるタブレット２が、トリミングディスク１４の内壁１６から徐々に露出される孔１３内に配置される。
【００３６】
孔１３は、方向１７において分配ステーション１８及びカム２７の上流側で充填される、そして、板２４がその閉位置に配置され、タブレット２が孔１３内に吸引可能となるように吸引チャンバ３５がディスク３３によって閉じられ、及び、カム従動部２８がその下げられた作動位置に配置されたときから動作を始める。
【００３７】
孔１３のグループ１２は、各グループ１２の各孔１３内のタブレット２の存在を確認するために、制御装置２０の下方のスロット１９内に連続して移動され、ステーション１８を通過する。
【００３８】
分配ステーション１８の領域内では、孔１３の各グループ１２及び各々の供給チャネル４０が各々の底部４と同期して移動され、各々のカム従動部２８が各々の板２４をその開位置に移動させるためにカム２７と係合し、孔１３に含まれるタブレット２が重力によって、先ずディスク２２の開口２３及びディスク３３の開口３４を通り、次にチャネル４０に沿って底部４内に落下する。
【００３９】
方向１７においてステーション１８の下流側では、各カム従動部２８が、各々のばね２６が各々の板２４をその閉位置に戻すことを可能にするためにカム２７を解放し、孔１３のグループ１２が、孔１３内のタブレット２の不存在を確認するために連続して制御装置２１の下方に移動される。
【００４０】
上記の説明と関連して、各ポケット５７が下側押し部材５８と関連付けられていることに留意することが重要であり、下側押し部材５８は、各々の容量性変換器５２が先ず第１に底部４の重量を測定し、次に底部４の重量と底部４が含むタブレット２の重量とを測定することを可能にし、及び、処理ユニット５４が２つの値の間の差分として底部４内に含まれるタブレット２の重量を計算することを可能にするために、各々の底部４を出口部分４６内に持ち上げる。
【００４１】
上記の説明のように、底部４内へのタブレット２の分配は、出口孔３８を通して噴出された圧縮援助の噴射の選択的作動により、及び、結果として生じるカム従動部２８の休止位置への移動により、妨げられる。
【００４２】
閉塞板２４が分配プラテン８と共に、したがって分配孔１３のグループ１２と共に軸９周りで移動するようにされているため、及び、板２４による閉位置から開位置への移動が比較的小さいため、プラテン８と板２４との相対移動により傷付けられること無くタブレット２は無傷のままとなる。
【図１】
2017038920.tif 000003
【図２】
2017038920.tif 000004
【図３】
2017038920.tif 000005
【図４】
2017038920.tif 000006
【図５】
2017038920.tif 000007
【図６】
2017038920.tif 000008
【図７】
2017038920.tif 000009
【図８】
2017038920.tif 000010
【外国語明細書】
2017038920000001.pdf